(57)【要約】【課題】画像処理に関する複数の機能を備える画像処理装置において、従来よりも簡易な操作で、所望の設定で所望の処理を行わせることを可能にする。【解決手段】  画像処理装置は、表示部と、表示制御部と、タッチパネルと、操作受付部と、動作制御部とを備える。表示制御部は、受付画面において、機能選択アイコンおよび設定項目選択アイコンの２つのアイコンを同時に押下する操作を受け付けた場合、２つのアイコンを同時に押下する操作が継続されている間、押下された設定項目選択アイコンに対応付けられた設定項目の設定値を予め定められた間隔毎に順次切り替えて、プレビュー領域に表示する画像を切り替えられた設定値で機能が実行された場合の画像処理後の画像に変更させる。【選択図】図６
2018110308.tif 000002
【特許請求の範囲】
【請求項１】
記録紙に画像を形成する画像形成機能、および、原稿から画像を読み取る画像読取機能を少なくとも含む、画像処理に関する複数の機能を備える画像処理装置において、
表示部と、
前記表示部による表示動作を制御する表示制御部と、
前記表示部の前面に配置されるタッチパネルと、
前記タッチパネルに対する操作を受け付ける操作受付部と、
前記操作受付部が受け付けた操作に応じて、本画像処理装置が備える複数の前記機能を実現するための動作を制御する動作制御部と、を備え、
前記表示制御部は、（１）前記表示部に、複数の前記機能の各々に対応付けられた複数の機能選択アイコン、前記機能に対して設定可能な複数の設定項目の各々に対応付けられた複数の設定項目選択アイコン、および、前記機能が実行された場合の画像処理後の画像を示すプレビュー領域を含む受付画面を表示させ、（２）前記操作受付部が前記受付画面において、複数の前記機能選択アイコンのうちの何れか１つの機能選択アイコン、および、複数の前記設定項目選択アイコンのうちの何れか１つの設定項目選択アイコンの２つのアイコンを同時に押下する操作を受け付けた場合、前記２つのアイコンを同時に押下する操作が継続されている間、前記押下された設定項目選択アイコンに対応付けられた設定項目の設定値を予め定められた間隔毎に順次切り替えて、前記設定値が切り替えられたときに、前記表示部が前記プレビュー領域に表示する画像を前記切り替えられた設定値で前記機能が実行された場合の画像処理後の画像に変更させ、（３）前記２つのアイコンを同時に押下する操作が解除された場合に、前記設定値の切り替えおよび前記表示部が前記プレビュー領域に表示する画像の変更を停止し、
前記動作制御部は、前記２つのアイコンを同時に押下する操作が解除された後に、前記操作受付部が前記機能の実行指示操作を受け付けた場合に、前記２つのアイコンを同時に押下する操作が解除されたときに指定されていた前記設定値で、前記機能を実現するための動作を制御する、画像処理装置。
【請求項２】
前記押下された２つのアイコンのうち、前記設定項目選択アイコンに対する押下が解除され、かつ、前記機能選択アイコンに対する押下が継続されることにより、前記２つのアイコンを同時に押下する操作が解除された場合、その後、前記機能選択アイコンに対する押下が継続された状態で、前記解除された設定項目選択アイコンとは別の設定項目選択アイコンが押下されたときに、前記別の設定項目選択アイコンに対応付けられた設定項目の設定値を予め定められた間隔毎に順次切り替えて、前記表示部が前記プレビュー領域に表示する画像を、前記２つのアイコンを同時に押下する操作が解除されたときに指定されていた前記設定項目の設定値、および、前記別の設定項目選択アイコンに対応付けられた設定項目の前記切り替えられた設定値で、前記機能が実行された場合の画像処理後の画像に変更させる、請求項１に記載の画像処理装置。
【請求項３】
前記表示制御部は、前記操作受付部が前記受付画面において、複数の前記機能選択アイコンのうちの何れか１つの機能選択アイコン、および、複数の前記設定項目選択アイコンのうちの少なくとも２つの設定項目選択アイコンからなる少なくとも３つのアイコンを同時に押下する操作を受け付けた場合、前記少なくとも３つのアイコンを同時に押下する操作が継続されている間、前記押下された少なくとも２つの設定項目選択アイコンに対応付けられた少なくとも２つの設定項目の各々の設定値を予め定められた間隔毎に順次切り替えて、前記設定値が切り替えられた時に、前記表示部が前記プレビュー領域に表示する画像を前記切り替えられた設定値で前記機能が実行された場合の画像処理後の画像に変更させる、請求項１に記載の画像処理装置。
【請求項４】
前記表示制御部は、前記操作受付部が前記受付画面において、複数の前記機能選択アイコンのうちの何れか１つの機能選択アイコンを押下する操作を受け付けた場合、複数の前記設定項目選択アイコンのうち、前記押下された機能選択アイコンに対応付けられた機能に対して設定可能な複数の設定項目の各々に対応付けられた複数の設定項目選択アイコンを、前記受付画面に表示させる、請求項１乃至請求項３の何れか１項に記載の画像処理装置。
【請求項５】
前記設定項目の各設定値について、その設定値で過去に前記動作制御部が前記機能を実現するための動作を制御した回数を記憶する記憶部を更に備え、
前記表示制御部は、前記２つのアイコンを同時に押下する操作が継続されている間、前記押下された設定項目選択アイコンに対応付けられた設定項目の設定値を前記記憶部に記憶された回数が多い順に順次切り替える、請求項１乃至請求項４の何れか１項に記載の画像処理装置。
【発明の詳細な説明】
【技術分野】
【０００１】
本発明は、画像処理装置に関し、特に、画像処理に関する複数の機能を備える画像処理装置に関する。
【背景技術】
【０００２】
記録紙に画像を形成する画像形成機能や、原稿から画像を読み取る画像読取機能などを含む画像処理に関する複数の機能を備える画像処理装置（所謂複合機）が普及している。このような画像処理装置においては、所望の処理を実行させるために様々な設定を行う必要がある。近年では、下記特許文献１に示すように、指示を入力するための装置としてタッチパネルを採用することで、より直感的に各種の設定を行うことを可能にしている。
【先行技術文献】
【特許文献】
【０００３】
【特許文献１】特開２０１４−６７１２３号公報
【発明の概要】
【発明が解決しようとする課題】
【０００４】
上記の一般的な画像処理装置において、例えば、画像読取処理を行わせるためには、（１）機能を選択するための機能選択画面において、複数の機能の中から画像読取機能を選択する操作、および（２）画像読取機能に関する設定を行うための設定画面において、プレビュー画面を確認しながら種々の設定を行う操作が必要となる。このように、画像処理装置に所望の処理を行わせるためには、複数の画面を行き来する必要があるため、操作面で煩雑でありユーザー利便性を欠く。
【０００５】
本発明は、上記の事情に鑑みなされたものであり、画像処理に関する複数の機能を備える画像処理装置において、従来よりも簡易な操作で、所望の設定で所望の処理を行わせることを可能にすることを目的とする。
【課題を解決するための手段】
【０００６】
本発明の一局面にかかる画像処理装置は、記録紙に画像を形成する画像形成機能、および、原稿から画像を読み取る画像読取機能を少なくとも含む、画像処理に関する複数の機能を備える画像処理装置において、表示部と、前記表示部による表示動作を制御する表示制御部と、前記表示部の前面に配置されるタッチパネルと、前記タッチパネルに対する操作を受け付ける操作受付部と、前記操作受付部が受け付けた操作に応じて、本画像処理装置が備える複数の前記機能を実現するための動作を制御する動作制御部と、を備え、前記表示制御部は、（１）前記表示部に、複数の前記機能の各々に対応付けられた複数の機能選択アイコン、前記機能に対して設定可能な複数の設定項目の各々に対応付けられた複数の設定項目選択アイコン、および、前記機能が実行された場合の画像処理後の画像を示すプレビュー領域を含む受付画面を表示させ、（２）前記操作受付部が前記受付画面において、複数の前記機能選択アイコンのうちの何れか１つの機能選択アイコン、および、複数の前記設定項目選択アイコンのうちの何れか１つの設定項目選択アイコンの２つのアイコンを同時に押下する操作を受け付けた場合、前記２つのアイコンを同時に押下する操作が継続されている間、前記押下された設定項目選択アイコンに対応付けられた設定項目の設定値を予め定められた間隔毎に順次切り替えて、前記設定値が切り替えられたときに、前記表示部が前記プレビュー領域に表示する画像を前記切り替えられた設定値で前記機能が実行された場合の画像処理後の画像に変更させ、（３）前記２つのアイコンを同時に押下する操作が解除された場合に、前記設定値の切り替えおよび前記表示部が前記プレビュー領域に表示する画像の変更を停止し、前記動作制御部は、前記２つのアイコンを同時に押下する操作が解除された後に、前記操作受付部が前記機能の実行指示操作を受け付けた場合に、前記２つのアイコンを同時に押下する操作が解除されたときに指定されていた前記設定値で、前記機能を実現するための動作を制御する、画像処理装置である。
【発明の効果】
【０００７】
本発明によれば、画像処理に関する複数の機能を備える画像処理装置において、従来よりも簡易な操作で、所望の設定で所望の処理を行わせることが可能となる。
【図面の簡単な説明】
【０００８】
【図１】本発明の一実施形態にかかる画像処理装置の一例としての複合機の構成を示す斜視図である。
【図２】本発明の一実施形態にかかる画像処理装置の一例としての複合機の内部構成を示すブロック図である。
【図３】本発明の一実施形態にかかる画像処理装置の一例としての複合機の表示部が表示する受付画面の一例を示す図である。
【図４】本発明の一実施形態にかかる画像処理装置の一例としての複合機の動作の流れを示すフローチャートである。
【図５】（Ａ）および（Ｂ）は、本発明の一実施形態にかかる画像処理装置の一例としての複合機の表示部が表示する受付画面の一例を示す図である。
【図６】（Ａ）および（Ｂ）は、本発明の一実施形態にかかる画像処理装置の一例としての複合機の表示部が表示する受付画面の一例を示す図である。
【図７】変形例にかかる画像処理装置の一例としての複合機の記憶部に記憶されているデータの一例を示す図である。
【図８】（Ａ）および（Ｂ）は、変形例にかかる画像処理装置の一例としての複合機の表示部が表示する受付画面の一例を示す図である。
【図９】（Ａ）および（Ｂ）は、変形例にかかる画像処理装置の一例としての複合機の表示部が表示する受付画面の一例を示す図である。
【図１０】（Ａ）、（Ｂ）、および（Ｃ）は、変形例にかかる画像処理装置の一例としての複合機の表示部が表示する受付画面の一例を示す図である。
【発明を実施するための形態】
【０００９】
以下、本発明の一実施形態にかかる画像処理装置について図面を参照して説明する。
【００１０】
図１は、本発明の一実施形態にかかる画像処理装置の一例としての複合機の構成を示す斜視図である。図２は、複合機の内部構成を示すブロック図である。
【００１１】
複合機１０は、画像処理に関する機能として、記録紙に画像を形成する画像形成機能、および、原稿から画像を読み取る画像読取機能を少なくとも備えた複合機である。本実施形態では、上記の画像形成機能および画像読取機能に加えて、ファクシミリ機能などを更に備えている。
【００１２】
複合機１０は、装置本体１１と、装置本体１１の上方に配置された画像読取部１１０と、画像読取部１１０と装置本体１１との間に設けられた連結部１２とから概略構成される。
【００１３】
装置本体１１は、画像形成部１２０や給紙部１３などを備えて構成されている。
【００１４】
複合機１０が画像読取動作を行う場合、後述する動作制御部１０２による制御のもと、画像読取部１１０が原稿載置台１１１に載置された原稿束を順次読み取り、複数のページからなる画像データを生成する。当該画像データは、記憶部１６０に記憶される。
【００１５】
複合機１０が画像形成動作を行う場合は、記憶部１６０に記憶された画像データなどに基づいて、動作制御部１０２による制御のもと、画像形成部１２０が給紙部１３から給紙される記録紙にトナー像を形成する。その後、記録紙上に形成されたトナー像は、不図示の定着部により熱定着される。定着処理の完了した画像形成済みの記録紙は、排出トレイ１４に排出される。
【００１６】
複合機１０の外郭を構成する筐体の前面には、表示部１３０および操作部１５０が配置されている。表示部１３０は、液晶ディスプレイ（ＬＣＤ：Liquid Crystal Display）や有機ＥＬ（ＯＬＥＤ：Organic Light-Emitting Diode）ディスプレイを含んで構成される。表示部１３０は後述する表示制御部１０５による制御のもと種々の画面を表示する。
【００１７】
表示部１３０の前面には、タッチパネル１４０が配置されている。タッチパネル１４０は、所謂抵抗膜方式や静電容量方式などのタッチパネルであって、タッチパネル１４０上におけるユーザーによる接触（タッチ）をその接触位置とともに検知する。タッチパネル１４０は、ユーザーによる接触を検知すると、その接触点の座標位置を示す検知信号を操作受付部１０３などに出力する。なお、タッチパネル１４０には、画面への直接の接触がなくてもユーザーの指などが画面に対して一定距離まで接近した場合に当該指などを検出するタッチパネルも含まれる。このため、本実施形態でいう「接触」には、画面への接触がなくても指などが上記一定距離まで接近したことがタッチパネル１４０の機能により検出される状態も、実質的に接触したとして含まれるものとする。
【００１８】
操作部１５０は、例えば、メニューを呼び出すメニューキー、メニューを構成するＧＵＩのフォーカスを移動させる矢印キー、メニューを構成するＧＵＩに対して確定操作を行う決定キーなどを備えるハードキーである。
【００１９】
記憶部１６０は、ＨＤＤ（Hard Disk Drive）などの大容量の記憶装置である。
【００２０】
通信部１７０は、無線ＬＡＮボードなどの通信モジュールから構成されるネットワークインターフェイスや、電話回線やインターネット回線を利用したファクシミリ通信を行うファクスユニットを含む。
【００２１】
複合機１０は、更に、制御ユニット１００を備えている。制御ユニット１００は、（Central Processing Unit）、ＲＡＭ(Random Access Memory）、及びＲＯＭ（Read Only Memory）などから構成される。制御ユニット１００は、上記のＲＯＭ又は記憶部１６０に記憶された情報処理プログラムが上記のＣＰＵに実行されることにより、制御部１０１、動作制御部１０２、操作受付部１０３、通信制御部１０４、および表示制御部１０５として機能する。なお、制御ユニット１００の制御部１０１、動作制御部１０２、操作受付部１０３、通信制御部１０４、および表示制御部１０５は、情報処理プログラムに基づく動作によらず、それぞれハード回路により構成されてもよい。
【００２２】
制御部１０１は、複合機１０の全体的な動作制御を司る。
【００２３】
動作制御部１０２は、操作受付部１０３が受け付けた操作に応じて、複合機１０が備える各種の機能を実現するための動作を制御する機能を有する。動作制御部１０２は、画像読取部１１０、画像形成部１２０、表示部１３０、タッチパネル１４０、操作部１５０、記憶部１６０、および通信部１７０などと接続されている。動作制御部１０２は、接続されている上記各機構の動作制御や、各機構との間での信号又はデータの送受信を行う。
【００２４】
操作受付部１０３は、タッチパネル１４０から出力される検知信号に基づき、タッチパネル１４０に対するユーザー操作を受け付ける機能を有する。また、操作受付部１０３は、ハードキーなどの操作部１５０を用いたユーザー操作を受け付ける機能を有する。
【００２５】
ここでユーザー操作には、タッチ操作、スライド操作（フリック操作やスワイプ操作を含む）、ドラッグ操作、ピンチアウト操作、ピンチイン操作などがある。例えば、ユーザーがタッチパネル１４０上に指を接触させ、その後その接触位置から指を離すと、タッチパネル１４０は、接触を検知した位置を示す検知信号を操作受付部１０３に出力する。操作受付部１０３は、当該検知信号を受け、ユーザーにより入力されたユーザー操作がタッチ操作であることを特定し、当該タッチ操作を受け付ける。また、タッチパネル１４０上に指を接触させた状態で指を移動させると、タッチパネル１４０は、最初に接触を検出した初期位置から最後に接触を検出した最終位置までの各移動位置を示す検知信号を操作受付部１０３に出力する。操作受付部１０３は、当該検知信号を受け、ユーザーにより入力されたユーザー操作がスライド操作であることを特定し、当該スライド操作を受け付ける。
【００２６】
通信制御部１０４は、通信部１７０による通信動作を制御する機能を有する。通信部１７０は、通信制御部１０４による制御のもと、ネットワークを介して複合機１０と接続されたＰＣ（Personal Computer）や他の画像形成装置との間でデータの送受信を行う。また、通信部１７０は、通信制御部１０４による制御のもと、他のファクシミリ装置との間でファクシミリ通信を行う。
【００２７】
表示制御部１０５は、表示部１３０による表示動作を制御する機能を有する。
【００２８】
表示部１３０は、複合機１０に対する指示を受け付けるための受付画面を表示する。図３は、表示部１３０が表示する受付画面の一例を示す図である。受付画面Ｄ１は、機能選択領域Ｒ１、設定選択領域Ｒ２、およびプレビュー表示領域Ｒ３に分割されている。
【００２９】
機能選択領域Ｒ１は、複合機１０が備える複数の機能のなかから、複合機１０に実行させる機能の選択を受け付けるための領域であって、当該複数の機能の各々に対応付けられた複数の機能選択アイコンｄ１〜ｄ４が配置されている。図３に示す例では、アイコンｄ１はコピー機能に対応付けられ、アイコンｄ２は印刷機能に対応付けられ、アイコンｄ３はファクシミリ機能に対応付けられ、アイコンｄ４はスキャン機能に対応付けられている。これらのアイコンと機能の対応関係は、記憶部１６０に記憶されている。操作受付部１０３は、アイコンｄ１〜ｄ４の何れかのアイコンを押下する操作が行われた場合、当該操作を押下されたアイコンに対応付けられた機能を選択する操作として受け付ける。
【００３０】
設定選択領域Ｒ２は、機能選択領域Ｒ１において選択された機能に関する設定を受け付けるための領域である。図３に示すように、通常の状態、すなわち、機能選択領域Ｒ１に配置されたアイコンｄ１〜ｄ４の何れかのアイコンが押下されておらず機能が選択されていない状態では、設定選択領域Ｒ２にはアイコンが表示されない。一方、後述する図５（Ａ）や図５（Ｂ）に示すように、機能選択領域Ｒ１に配置されたアイコンｄ１〜ｄ４の何れかのアイコンが押下されて機能が選択された状態では、設定選択領域Ｒ２には、機能選択領域Ｒ１において選択された機能に対して設定可能な複数の設定項目の各々に対応付けられた複数の設定項目選択アイコンｄ７〜ｄ１３が表示される。
【００３１】
プレビュー表示領域Ｒ３は、機能選択領域Ｒ１において選択された機能が実行された場合の画像処理後の画像が表示される領域である。
【００３２】
複合機１０では、上記の受付画面Ｄ１において、複合機１０が実行する機能および設定の選択指示を受け付ける。以下では、この際に行われる複合機１０の動作の流れを詳細に説明する。
【００３３】
図４は、複合機１０の動作の流れを示すフローチャートである。本図に示すように、複合機１０は、まず、表示制御部１０５が、図３に示す受付画面Ｄ１を表示部１３０に表示させる（ステップＳ１０）。そして、当該受付画面Ｄ１において操作受付部１０３が機能選択領域Ｒ１に配置されたアイコンｄ１〜ｄ４の何れかのアイコンに対する押下操作を受け付けると（ステップＳ１１においてＹＥＳ）、表示制御部１０５は、表示部１３０に、機能選択領域Ｒ１において選択された機能に対して設定可能な複数の設定項目の各々に対応付けられた複数の設定項目選択アイコンを設定選択領域Ｒ２内に表示させる（ステップＳ１２）。
【００３４】
図５（Ａ）に示す例では、表示部１３０の表示面における位置Ａ１に対してタッチパネル機能を用いた押下操作が行われている。当該位置Ａ１にはアイコンｄ１が配置されており、操作受付部１０３は、アイコンｄ１に対する押下操作を受け付けている。このアイコンｄ１に対する押下操作により、表示制御部１０５は、表示部１３０に、当該押下されたアイコンｄ１以外の機能選択領域Ｒ１に配置されたアイコンｄ２〜ｄ４を透明に表示させる（図中では点線で示している）。また、このアイコンｄ１に対する押下操作により、設定選択領域Ｒ２内には、表示制御部１０５による制御のもと、アイコンｄ１に対応付けられたコピー機能に対して設定可能な複数の設定項目の各々に対応付けられた複数の設定項目選択アイコンｄ７〜ｄ１０が表示される。図５（Ａ）に示す例では、アイコンｄ７は画像の集約に関する設定項目に対応付けられ、アイコンｄ８は画像の拡大に関する設定項目に対応付けられ、アイコンｄ９は画像の縮小に関する設定項目に対応付けられ、アイコンｄ１０は画像の色（カラーまたは白黒）に関する設定項目に対応付けられている。これらのアイコンと設定項目の対応関係は、記憶部１６０に記憶されている。また、各種の機能に対して設定可能な設定項目を示すデータは、記憶部１６０に記憶されている。
【００３５】
また、上記のアイコンｄ１に対する押下操作により、プレビュー表示領域Ｒ３内には、表示制御部１０５による制御のもと、コピー機能が予め定められたデフォルトの設定で実行された場合の画像処理後のサンプル画像ｐ１が表示されている。
【００３６】
図５（Ｂ）に示す例では、表示部１３０の表示面における位置Ａ２に対してタッチパネル機能を用いた押下操作が行われている。当該位置Ａ２にはアイコンｄ３が配置されており、操作受付部１０３は、アイコンｄ３に対する押下操作を受け付けている。このアイコンｄ３に対する押下操作により、表示制御部１０５は、表示部１３０に、当該押下されたアイコンｄ３以外の機能選択領域Ｒ１に配置されたアイコンｄ１、ｄ２、ｄ４を透明に表示させる（図中では点線で示している）。また、このアイコンｄ３に対する押下操作により、設定選択領域Ｒ２内には、表示制御部１０５による制御のもと、アイコンｄ３に対応付けられたファクシミリ機能に対して設定可能な複数の設定項目の各々に対応付けられた複数の設定項目選択アイコンｄ１１〜ｄ１３が表示される。図５（Ｂ）に示す例では、アイコンｄ１１は画像の集約に関する設定項目に対応付けられ、アイコンｄ１２は画像の拡大に関する設定項目に対応付けられ、アイコンｄ１３は画像の縮小に関する設定項目に対応付けられている。なお、画像の色（カラーまたは白黒）に関する設定項目については、ファクシミリ機能においては設定不可能な設定項目であるため、当該設定項目に対応付けられたアイコンが設定選択領域Ｒ２内には表示されていない。
【００３７】
図４に戻って、操作受付部１０３が受付画面Ｄ１において、複数の機能選択アイコンのうちの何れか１つの機能選択アイコン、および、複数の設定項目選択アイコンのうちの何れか１つの設定項目選択アイコンの２つのアイコンを同時に押下する操作を受け付けた場合（ステップＳ１３においてＹＥＳ）、表示制御部１０５は、ステップＳ１４およびステップＳ１５の処理を行う。すなわち、表示制御部１０５は、２つのアイコンを同時に押下する操作が継続されている間、押下された設定項目選択アイコンに対応付けられた設定項目の設定値をデフォルトの値から予め定められた間隔毎に順次切り替えて（ステップＳ１４）、設定値が切り替えられたときに、表示部１３０に、切り替えられた設定値で機能が実行された場合の画像処理後の画像をプレビュー表示領域Ｒ３内に表示させる（ステップＳ１５）。このステップＳ１４およびステップＳ１５の処理は、上記の２つのアイコンを同時に押下する操作が継続されている間（ステップＳ１６においてＮＯ）、繰り返し行われる。
【００３８】
図６（Ａ）に示す例では、図５（Ａ）に示したアイコンｄ１を親指で押下した状態から人差し指を伸ばして、表示部１３０の表示面における位置Ａ３に対して押下操作が行われている。当該該位置Ａ３にはアイコンｄ７が配置されており、操作受付部１０３は、アイコンｄ１およびアイコンｄ７に対する押下操作を受け付けている。このとき、表示制御部１０５は、押下されたアイコンｄ７に対応付けられた設定項目、すなわち、画像の集約に関する設定項目の設定値を予め定められた間隔（例えば、３秒間隔）毎に順次切り替える。具体的には、表示制御部１０５は、画像の集約に関する設定項目の設定値を、まず「２ｉｎ１」に切り替え、その３秒後に「４ｉｎ１」に切り替え、更にその３秒後に「８ｉｎ１」に切り替える。「８ｉｎ１」の設定値の後は、「等倍」の設定値に切り替えた後、再度「２ｉｎ１」の設定に切り替える。
【００３９】
そして、表示制御部１０５は、表示部１３０に、切り替えられた設定値で機能が実行された場合の画像処理後の画像をプレビュー表示領域Ｒ３内に表示させる。例えば、アイコンｄ１およびアイコンｄ７に対する押下操作が継続されたことにより、画像の集約に関する設定項目の設定値が「２ｉｎ１」に切り替わったときには、図６（Ｂ）に示されるように、プレビュー表示領域Ｒ３内に、コピー機能が「２ｉｎ１」の設定値で実行された場合の画像処理後のサンプル画像ｐ３が表示される。
【００４０】
図４に戻って、操作受付部１０３が、機能選択アイコンおよび設定項目選択アイコンの２つのアイコンを同時に押下する操作の解除を受け付けた場合（ステップＳ１６においてＹＥＳ）、表示制御部１０５は、上記の設定値の切り替えおよびプレビュー表示領域Ｒ３に表示する画像の変更を停止する（ステップＳ１７）。そして、操作受付部１０３が、機能の実行指示操作、すなわち、受付画面Ｄ１に設けられた実行ボタンｄ５の押下操作を受け付けた場合（ステップＳ２０においてＹＥＳ）、動作制御部１０２は、上記の２つのアイコンを同時に押下する操作が解除されたときに指定されていた設定値で、機能を実現するための動作を制御する（ステップＳ２１）。この結果、画像読取部１１０による画像読取動作および画像形成部１２０による画像形成動作が行われ、上記の２つのアイコンを同時に押下する操作が解除されたときにプレビュー表示領域Ｒ３に表示されていた画像が形成された記録紙が、排出トレイ１４に排出される。
【００４１】
以上のように、複合機１０によれば、所望の機能が対応付けられたアイコンと、設定値を変更したい設定項目が対応付けられたアイコンとをユーザーが同時に押下し、ユーザーがその押下した状態を継続することで、プレビュー表示領域Ｒ３に表示される画像が切り替わる。ユーザーは、当該プレビュー表示領域Ｒ３に表示される画像を確認しながら、所望の画像が表示されたタイミングで上記の２つのアイコンに対する押下を解除することで、所望の設定値を設定することができる。このように、複合機１０では、機能選択領域Ｒ１、設定選択領域Ｒ２、およびプレビュー表示領域Ｒ３を含む１つの画面（受付画面Ｄ１）内において、複数の画面の間を遷移することなく、ユーザーが所望の設定で所望の処理を行わせることができる。
【００４２】
なお、機能選択アイコンおよび設定項目選択アイコンの２つのアイコンのうち、設定項目選択アイコンに対する押下が解除され、かつ、機能選択アイコンに対する押下が継続されることにより、２つのアイコンを同時に押下する操作が解除された場合（ステップＳ１６）であって、その後、機能選択アイコンに対する押下が継続された状態で、解除された設定項目選択アイコンとは別の設定項目選択アイコンが押下されたときは、ステップＳ１４の処理で設定された設定値からの設定値の変更が行われる。すなわち、表示制御部１０５は、別の設定項目選択アイコンに対応付けられた設定項目の設定値を予め定められた間隔毎に順次切り替えて、プレビュー表示領域Ｒ３に表示する画像を、上記の２つのアイコンを同時に押下する操作が解除されたときに指定されていた設定項目の設定値、および、別の設定項目選択アイコンに対応付けられた設定項目の切り替えられた設定値で、機能が実行された場合の画像処理後の画像に変更させる。
【００４３】
例えば、図６（Ｂ）に示した状態から、アイコンｄ１およびアイコンｄ７に対する押下操作が解除され、その後、操作受付部１０３がアイコンｄ１およびアイコンｄ８に対する押下操作を受け付けた場合、画像の集約に関する設定項目の設定値を「２ｉｎ１」にした状態で、画像の拡大に関する設定項目の設定値が切り替えられる。これにより、プレビュー表示領域Ｒ３には、表示制御部１０５による制御のもと、「２ｉｎ１」の設定値で実行された場合の画像処理後のサンプル画像ｐ３が順次切り替えられる拡大率の設定値で拡大された画像が表示される。
【００４４】
なお、本発明は、上記の実施の形態の構成に限られず種々の変形が可能である。
【００４５】
＜変形例１＞
変形例１にかかる複合機では、記憶部１６０が、設定項目の各設定値について、その設定値で過去に動作制御部１０２が機能を実現するための動作を制御した回数を記憶する。図７は、記憶部１６０に記憶されているデータの一例を示す図である。本図に示されるように、記憶部１６０には、コピー機能を実現するための動作をした回数を示すコピー機能使用履歴情報Ｔ１、印刷機能を実現するための動作をした回数を示す印刷機能使用履歴情報Ｔ２、および、ファクシミリ機能を実現するための動作をした回数を示すファクシミリ機能使用履歴情報Ｔ３が記憶されている。
【００４６】
各使用履歴情報には、その機能について設定可能な設定項目ごとに設定された設定値の回数が記憶されている。図７に示す例では、例えば、画像の集約に関する設定項目について、「２ｉｎ１」の設定値に設定された回数が１０回であり、「４ｉｎ１」の設定値に設定された回数が１５回であり、「８ｉｎ１」の設定値に設定された回数が３回であることが示されている。
【００４７】
表示制御部１０５は、２つのアイコンを同時に押下する操作が継続されている間、当該押下された設定項目選択アイコンに対応付けられた設定項目の設定値を記憶部１６０に記憶された回数が多い順に順次切り替える。図７に示す例では、画像の集約に関する設定項目については、「４ｉｎ１」の設定値に設定された回数が最も多く、その次に「２ｉｎ１」の設定値に設定された回数が多い。このため、表示制御部１０５は、操作受付部１０３がアイコンｄ１およびアイコンｄ７に対する押下操作を受け付けた場合、画像の集約に関する設定項目の設定値を、まず「４ｉｎ１」に切り替え、その３秒後に「２ｉｎ１」に切り替え、更にその３秒後に「８ｉｎ１」に切り替える。これにより、図８（Ａ）に示すように、プレビュー表示領域Ｒ３には、ユーザーが最も設定する可能性が高い「４ｉｎ１」の設定値で表示された画像ｐ４が始めに表示される。
【００４８】
このように、変形例１にかかる複合機によれば、ユーザーが設定する可能性が高い設定値の順に設定値が切り替わるため、より簡易な操作で所望の設定値を設定することが可能になる。
【００４９】
また、変形例１では、表示制御部１０５は、設定選択領域Ｒ２に配置される設定項目選択アイコンのサイズを、記憶部１６０に記憶されている使用履歴情報に基づいて、変更される回数が多い設定項目の順に大きくなるようにしている。図７に示す例では、画像の集約に関する設定項目に対する設定値の変更回数は２８回であり、画像の拡大に関する設定項目に対する設定値の変更回数は１６回であり、画像の縮小に関する設定項目に対する設定値の変更回数は８回であり、画像の色に関する設定項目に対する設定値の変更回数は４８回である。このように、「画像の色に関する設定項目」、「画像の集約に関する設定項目」、「画像の拡大に関する設定項目」、「画像の縮小に関する設定項目」の順に変更される回数が多い。このため、表示制御部１０５は、図８（Ａ）に示すように、設定選択領域Ｒ２に配置される設定項目選択アイコンのサイズを、「画像の色に関する設定項目」が対応付けられたアイコンｄ１７のサイズを最も大きくしている。
【００５０】
このように、変形例１にかかる複合機によれば、ユーザーが設定する可能性が高い設定項目の順に、当該設定項目に対応付けられたアイコンのサイズを大きくするため、所望する設定項目を押下する操作がより容易となる。
【００５１】
また、表示制御部１０５は、設定選択領域Ｒ２に配置される設定項目選択アイコンの並びを、記憶部１６０に記憶されている使用履歴情報に基づいて、変更される回数が多い設定項目の順に設定選択領域Ｒ２の上から並ぶように変更してもよい。図８（Ｂ）に示す例では、表示制御部１０５は、図７に示した記使用履歴情報に基づいて、「画像の色に関する設定項目」に対応付けられたアイコンｄ１０、「画像の集約に関する設定項目」に対応付けられたアイコンｄ７、「画像の拡大に関する設定項目」に対応付けられたアイコンｄ８、「画像の縮小に関する設定項目」に対応付けられたアイコンｄ９の順に、設定選択領域Ｒ２内の上からアイコンを並べている。このように、ユーザーにとって最も目につき易い設定選択領域Ｒ２内の上部の位置から順にユーザーが設定する可能性が高い設定項目を並べることで、ユーザーが所望する設定項目を押下する操作がより容易となる。
【００５２】
なお、上記では、表示制御部１０５が、記憶部１６０に記憶されている使用履歴情報に基づいて、（１）設定選択領域Ｒ２に配置される設定項目選択アイコンのサイズを変更する場合、および、（２）設定選択領域Ｒ２に配置される設定項目選択アイコンの並びを変更する場合を説明したが、上記の（１）および（２）の場合を組み合わせてもよい。すなわち、表示制御部１０５は、記憶部１６０に記憶されている使用履歴情報に基づいて、設定選択領域Ｒ２に配置される設定項目選択アイコンのサイズ、および、設定選択領域Ｒ２に配置される設定項目選択アイコンの並びを変更する。
【００５３】
＜変形例２＞
上記の実施形態では、操作受付部１０３が、１つの機能選択アイコンおよび１つの設定項目選択アイコンの２つのアイコンを同時に押下する操作を受け付ける場合を説明したが、本発明は必ずしもこの場合に限定されない。変形例２にかかる複合機では、操作受付部１０３が、複数の機能選択アイコンのうちの何れか１つの機能選択アイコン、および、複数の設定項目選択アイコンのうちの少なくとも２つの設定項目選択アイコンからなる少なくとも３つのアイコンを同時に押下する操作を受け付けた場合を考える。この場合、表示制御部１０５は、当該少なくとも３つのアイコンを同時に押下する操作が継続されている間、押下された少なくとも２つの設定項目選択アイコンに対応付けられた少なくとも２つの設定項目の各々の設定値を予め定められた間隔毎に順次切り替える。そして、表示制御部１０５は、当該設定値が切り替えられた時に、プレビュー表示領域Ｒ３に表示する画像を切り替えられた設定値で機能が実行された場合の画像処理後の画像に変更させる。
【００５４】
例えば図６（Ｂ）に示す受付画面Ｄ１において、アイコンｄ１、アイコンｄ７、およびアイコンｄ８の３つのアイコンを同時に押下する操作を操作受付部１０３が受け付けた場合、表示制御部１０５は、画像の集約に関する設定項目、および、画像の拡大に関する設定値を交互に切り替える。これにより、プレビュー表示領域Ｒ３には、表示制御部１０５による制御のもと、例えば、（１）「２ｉｎ１」の集約に関する設定値、および、「１５０％」の拡大に関する設定値で実行された場合の画像処理後の画像、（２）「４ｉｎ１」の集約に関する設定値、および、「１５０％」の拡大に関する設定値で実行された場合の画像処理後の画像、（３）「４ｉｎ１」の集約に関する設定値、および、「２００％」の拡大に関する設定値で実行された場合の画像処理後の画像などが順次切り替えて表示される。
【００５５】
＜変形例３＞
図９は、変形例３にかかる複合機において、表示部１３０に表示される受付画面の一例を示す図である。変形例３では、機能が実行された場合の画像処理後の画像を示すプレビュー画像ｐ３に加えて、機能選択アイコンおよび設定項目選択アイコンの２つのアイコンを同時に押下する操作により設定された設定値を示す画像ｐ４が、表示制御部１０５による制御のもと、受付画面内に表示されている。
【００５６】
図９に示す例では、アイコンｄ１およびアイコンｄ７を同時に押下する操作が継続されることにより、画像の集約に関する設定値として「２ｉｎ１」が設定されている。このため、表示制御部１０５は、「２ｉｎ１」の設定値を示す画像ｐ４を受付画面に表示させている。
【００５７】
本発明では、機能選択アイコンおよび設定項目選択アイコンの２つのアイコンを同時に押下する操作により設定値が切り替わるが、変形例３にかかる構成では、機能が実行された場合の画像処理後の画像を示すプレビュー画像ｐ３に加えて、機能選択アイコンおよび設定項目選択アイコンの２つのアイコンを同時に押下する操作により設定された設定値を示す画像ｐ４が受付画面内に示されているため、ユーザーが現在設定されている設定値の内容をより容易に確認することが可能となっている。
【００５８】
＜変形例４＞
図１０（Ａ）は、変形例４にかかる複合機において、表示部１３０に表示される受付画面の一例を示す図である。変形例４では、機能が実行された場合の画像処理後の画像を示すプレビュー画像ｐ３に加えて、設定値の変更を受け付けるためのプルダウンメニューＬが、表示制御部１０５による制御のもと、受付画面内に表示されている。
【００５９】
プルダウンメニューＬは、機能選択アイコンおよび設定項目選択アイコンの２つのアイコンを同時に押下する操作により設定された設定値が示されている。ここで、図１０（Ｂ）に示すように、図１０（Ａ）に示した状態から人差し指を伸ばされ、プルダウンメニューＬ内の位置Ａ５やプルダウンボタンＬ１に対して押下操作が行われた場合を考える。このとき、操作受付部１０３は、プルダウンメニューＬに対する押下操作を受け付ける。このとき、表示制御部１０５は、変更可能な設定値の一覧を示したプルダウンリストＬ２を表示部１３０に表示させる。図１０（Ｂ）示す例では、画像の集約に関する設定項目に対する設定値の一覧が表示されている。そして、操作受付部１０３がプルダウンリストＬ２に示された複数の設定値のうちの１つの設定値に対する選択（押下）操作を受け付けた場合、表示制御部１０５は、設定項目の設定値を選択操作が行われた設定値に切り替える。その後表示制御部１０５は、当該切り替えた設定値で機能が実行された場合の画像処理後の画像に変更させる。
【００６０】
上記の実施形態では、一度切り替えられた設定値を、切り替えられる前の設定値に戻すためには、当該切り替えられる前の設定に再び切り替わるまで設定項目選択アイコンを押下し続ける必要がある。これに対して、変形例４にかかる複合機では、プルダウンリストメニューＬを押下する操作により、切り替える前の設定に戻すことが可能になる。このため、上記の実施形態にかかる複合機と比較してより短時間に設定値を変更することができる。
【００６１】
また図１０（Ｃ）に示すように、表示制御部１０５は、表示部１３０に、上記のプルダウンメニューを、設定選択領域Ｒ２内の操作受付部１０３が押下操作を受け付けた設定項目選択アイコンの近傍の下方位置に表示させてもよい。図１０（Ｃ）で示した設定項目選択アイコンが押下された状態からスライド操作が行われ、操作受付部１０３がプルダウンリストＬ２に示された複数の設定値のうちの１つの設定値に対する押下操作を受け付けた場合、表示制御部１０５は、設定項目の設定値を選択操作が行われた設定値に切り替える。その後表示制御部１０５は、当該切り替えた設定値で機能が実行された場合の画像処理後の画像に変更させる。これにより、ユーザーは、人差し指で設定項目選択アイコンを押下していた状態から、人差し指を下方にスライド移動させ、所望の位置で人差し指を画面から離すという操作により、設定値を変更することができる。
【符号の説明】
【００６２】
１０    複合機
１００  制御ユニット
１０１  制御部
１０２  動作制御部
１０３  操作受付部
１０４  通信制御部
１０５  表示制御部
１１０  画像読取部
１２０  画像形成部
１３０  表示部
１４０  タッチパネル
１５０  操作部
１６０  記憶部
１７０  通信部
【図１】
2018110308.tif 000003
【図２】
2018110308.tif 000004
【図３】
2018110308.tif 000005
【図４】
2018110308.tif 000006
【図５】
2018110308.tif 000007
【図６】
2018110308.tif 000008
【図７】
2018110308.tif 000009
【図８】
2018110308.tif 000010
【図９】
2018110308.tif 000011
【図１０】
2018110308.tif 000012